(57)【要約】【課題】液晶受像装置の特徴である「動画ボケ」を抑えると共に、その対策の結果生じやすいフリッカや画面照度の低下にも対応することができる液晶受像装置を提供する。【解決手段】本発明に係る液晶受像装置１は、受信した映像信号の垂直走査周波数を倍増することでフレーム数を倍増し、倍増により追加された各フレームのゲインを調整する。動画ボケを防止する際はゲインを低く、フリッカを防止する際はゲインを高くする。表示する映像の内容に応じて自動に、或いはユーザの操作により、ゲインの調整がなされる。【選択図】図１
2008003519.tif 000002
【特許請求の範囲】
【請求項１】
映像信号を受信する受信部と、
前記映像信号の垂直走査周波数を倍増することにより増加したフレームに対して既存のフレームの画像を追加する映像倍速部と、
前記映像倍速部において追加されたフレームのゲインを調整するゲイン調整部と、
前記既存のフレームとゲイン調整された前記追加されたフレームの映像信号に基づく映像を表示する映像表示部と、を備えることを特徴とする液晶受像装置。
【請求項２】
前記ゲイン調整部は、前記受信部の受信した映像信号からなる映像内容を解析し、その結果に基づいてゲイン調整を行なうことを特徴とする請求項１記載の液晶受像装置。
【請求項３】
前記ゲイン調整部は、ユーザーの指定した値をもってゲイン調整を行なうことを特徴とする請求項１記載の液晶受像装置。
【請求項４】
映像信号を受信する受信部と、
前記映像信号の垂直走査周波数を倍増することにより増加したフレームに対して既存のフレームの画像を追加する映像倍速部と、
画質の表示調整を行なう画質調整部と、
前記画質調整部における画質の表示調整に基づいて前記映像倍速部において追加されたフレームのゲインを調整するゲイン調整部と、
前記既存のフレームとゲイン調整された前記追加されたフレームの映像信号に基づく映像を表示する映像表示部と、を備えることを特徴とする液晶受像装置。
【請求項５】
前記画質調整部は、予め定められた画質調整モードを複数有し、ユーザーの指定に従って選択された前記画質調整モードを実行することを特徴とする請求項４に記載の液晶受像装置。
【発明の詳細な説明】
【技術分野】
【０００１】
本発明は液晶受像装置に関し、特に従来の液晶受像装置よりも「動画ボケ」を抑えると共に、その対策の結果生じやすいフリッカや画面照度の低下にも対応することが可能な液晶受像装置に関する。
【背景技術】
【０００２】
従来の画像表示装置に使用されてきたＣＲＴは、画像の各フレームにつき一部の時間のみにおいて発光する、いわゆるインパルス型の表示方法が用いられていたため、フリッカ（ちらつき）が生じやすいという問題点があった。
【０００３】
このようなフリッカ対策のために、様々な技術開発がなされてきた（例えば、特許文献１、２参照）。
【０００４】
一方、近年画像表示装置に多く採用されている液晶表示装置（ＬＣＤ）においては、各フレームの全期間において発光する、いわゆるホールド型の表示方法が用いられている。そのため、ＬＣＤの特徴として、表示された画像は緩やかに消えていくという応答性の悪さがあり、これによりいわゆる「動画ボケ」という状態が生じることになる。
【０００５】
このようなＬＣＤに特有の「動画ボケ」を解消するために、垂直走査周波数（日本等においては６０Ｈｚ、欧州等においては５０Ｈｚ）を倍増し、増加したフレーム数に応じて、既存の各フレーム間に黒挿入を行うという方法が考えられてきた（例えば、特許文献３参照）。
【特許文献１】特開平１１−８８１１号公報
【特許文献２】特開２００５−１９１８５７号公報
【特許文献３】特開平０９−１８８１４号公報
【発明の開示】
【発明が解決しようとする課題】
【０００６】
しかしながら、従来の液晶表示装置によると、黒挿入を行なうと、インパルス型に近い表示方法となるために、フリッカが生じやすくなるといった問題や、画像表示期間が従来の半分となるために、画面の明るさが半分になってしまうといった問題が生ずることになる。
【０００７】
従って本発明は、以上の問題点に鑑み、液晶受像装置の特徴である「動画ボケ」を抑えると共に、その対策の結果生じやすいフリッカや画面照度の低下にも対応することができる液晶受像装置を提供することを目的とする。
【課題を解決するための手段】
【０００８】
本発明は、上記目的を達成するため、映像信号を受信する受信部と、前記映像信号の垂直走査周波数を倍増することにより増加したフレームに対して既存のフレームの画像を追加する映像倍速部と、前記映像倍速部において追加されたフレームのゲインを調整するゲイン調整部と、前記既存のフレームとゲイン調整された前記追加されたフレームの映像信号に基づく映像を表示する映像表示部と、を備えることを特徴とする液晶受像装置を提供する。
【０００９】
上記発明によれば、静止画像や動画像といった映像の内容に応じて倍増されたフレームのゲインを調整することにより、「動画ボケ」対策やフリッカ対策などを臨機応変に講じることができ、最適な映像表示をすることが可能となる。
【００１０】
また、本発明は、映像信号を受信する受信部と、前記映像信号の垂直走査周波数を倍増することにより増加したフレームに対して既存のフレームの画像を追加する映像倍速部と、画質の表示調整を行なう画質調整部と、前記画質調整部における画質の表示調整の結果に基づいて前記映像倍速部において追加されたフレームのゲインを調整するゲイン調整部と、前記既存のフレームとゲイン調整された前記追加されたフレームの映像信号に基づく映像を表示する映像表示部と、を備えることを特徴とする液晶受像装置を提供する。
【００１１】
上記発明によれば、画質調整に応じて倍増されたフレームのゲインを調整することにより、視聴中の映像に最適な映像表示をすることが可能となる。
【発明の効果】
【００１２】
本発明によれば、静止画像や動画像といった映像の内容に応じて倍増されたフレームのゲインを調整することにより、「動画ボケ」対策やフリッカ対策などを臨機応変に講じることができ、最適な映像表示をすることが可能となる。
【発明を実施するための最良の形態】
【００１３】
以下、図面を参照しながら本発明の実施の形態について説明する。
【００１４】
（システムの構成）
図１は、本発明に係る液晶受像装置を含む映像受像システムの外観を示す図である。
【００１５】
映像受像システムは、本発明にかかる液晶受像装置１と、テレビ放送の電波を受信するためのアンテナ類からなる。
【００１６】
液晶受像装置１は、放送局から送信されるテレビ放送電波を受信し、当該電波に含まれる映像信号に基づきテレビ画像を表示するものであり、テレビ画像を表示するためのＬＣＤパネル１１が設けられている。
【００１７】
また、外部には、衛星放送用の電波を受信するためのＢＳアンテナ２ａや、地上波放送用の電波を受信するための地上波アンテナ２ｂが接続されており、それらを介してテレビ放送電波が受信される。
【００１８】
（第１の実施の形態：液晶受像装置の構成）
本発明に係る液晶受像装置は、受信した映像信号のフレームを倍速変換し、その一方のゲインを下げることにより、フリッカを押さえるものであるが、ゲインの下げ幅の調整について２通りの方法を提言する。以下、それぞれの実施の形態について説明する。
【００１９】
第１の実施の形態は、映像信号の内容に基づき、液晶受像装置１が自動で当該映像信号に最適なゲインに調整するものである。
【００２０】
図２は、本発明に係る液晶受像装置１の第１の実施の形態における内部構成を示すブロック図である。
【００２１】
液晶受像装置１は、ＩＰ変換・Ｓｃａｌｅｒ回路１１と、フレーム倍速変換回路１２と、タイミング発生回路１３と、ゲインコントロール回路１４と、画像調整回路１５と、ＬＣＤパネル１６とを備える。また、液晶受像装置１には、アンテナ２が接続されている。
【００２２】
ＩＰ変換・Ｓｃａｌｅｒ回路１１は、入力された映像信号がインターレス方式である際にはプログレッシブ方式の映像信号に変換し、また、入力された映像信号の画像サイズがＬＣＤパネル１６で表示可能な画像サイズと異なる際には、ＬＣＤパネル１６で表示可能な画像サイズへ変換するものである。
【００２３】
フレーム倍速変換回路１２は、入力された映像信号の周波数を倍増し、フレーム数を２倍に変換するものである。例えば、映像信号の周波数は６０Ｈｚとした際に、フレーム倍速変換回路１２により、周波数が１２０Ｈｚに変換され、１秒間あたりのフレーム数が６０から１２０に倍増する。
【００２４】
タイミング発生回路１３は、フレーム倍速変換回路１２においてフレーム数が倍増した映像信号の各フレームについて、それぞれのフレームの表示されるタイミングを計測し、ゲイン調整を行なうタイミングを発生させるものである。
【００２５】
ゲインコントロール回路１４は、タイミング発生回路１３の発生されたタイミングに併せて、各フレームのゲインの調整を行なうものである。
【００２６】
画像調整回路１５は、フレーム倍速変換回路１２によりフレーム数の倍増した映像信号のフレーム毎に、ゲインコントロール回路１４によって調整されたゲインを乗じた電圧をかけ、各フレームの画像調整を行なうものである。
【００２７】
ＬＣＤパネル１６は、画像調整回路１５により調整された画像を映し出すものであり、本発明においては、液晶パネルが用いられる。
【００２８】
（フレーム倍速変換方法及びゲインコントロール方法）
次に、本発明に係る液晶受像装置１におけるフレーム倍速変換方法及びゲインコントロール方法について説明する。なお、以下の説明においては、受信する映像信号における垂直走査周波数が６０Ｈｚの場合を例にとって説明するものとするが、垂直走査周波数が５０Ｈｚやその他の周波数の映像信号においても同様の処理を行なうことで同様の効果が得られるものである。
【００２９】
図３は、受信した映像信号のフレーム数をフレーム倍速変換装置１２により２倍にする様子、及び２倍になった各フレームの一方のゲインをコントロールする様子を示す図である。
【００３０】
図３（ａ）は、倍速変換される前の、入力された段階における映像信号を示すものである。入力された映像信号は、垂直走査周波数が６０Ｈｚであるので、液晶受像装置１は、６０分の１秒毎に１つのフレームを受信することになる。各フレームにつき、図３（ａ）に示すように、Ａ、Ｂ、Ｃ、Ｄ、Ｅ、Ｆ…と名称をつけて識別する。
【００３１】
なお、受信した映像信号がインターレス方式のものであれ、プログレッシブ方式のものであれ、ＩＰ変換・Ｓｃａｌｅｒ回路１１を経ることにより、フレーム倍速変換回路１２に入力される映像信号は、プログレッシブ方式の映像信号に限られることになる。
【００３２】
かかる映像信号が、フレーム倍速変換回路１２へ入力されると、映像信号の垂直走査周波数が１２０Ｈｚに変換されるので、１つのフレームを表示するための時間が変換前の半分である１２０分の１秒になる。そして、フレーム数が従来の倍となるので、倍速変換前の映像信号の１フレーム分の画像が、倍速変換後の映像信号の２フレームに割り当てられる。その様子を示すものが図３（ｂ）である。
【００３３】
図３（ｂ）に示すように、倍速変換後の映像信号においては、倍速変換前の映像信号におけるＡのフレームの画像が、２回続けて表示され、続いてＢのフレームの画像、Ｃのフレームの画像と、順次２回ずつ表示されることになる。
【００３４】
なお、このとき、映像信号は、フレーム倍速変換回路１２を経由するために、当該回路を経由しなかった場合に比べてわずかに表示されるタイミングは遅延することになる。図３においては、当該回路を経由しない場合の（ａ）の映像信号に比べ、回路を経由する場合の（ｂ）の映像信号は、１２０分の１秒だけ表示されるタイミングが遅延している。
【００３５】
図３（ｂ）に示すように、映像信号をフレーム倍速変換しても、６０分の１秒のフレームを１回表示することと、１２０分の１秒のフレームを２回続けて表示することとは、液晶の表示装置においては何ら違いはなく、一向に動画ボケを防止することにはならないので、２回続けて表示されるフレームのあとから表示されるフレームのゲインを調整することとする。ゲインコントロール回路１４により、そのようなゲインの調整された後の映像信号が図３（ｃ）に示されている。
【００３６】
図３（ｃ）は、２回続けて表示されるフレームのあとから表示されるフレームのゲインが調整され、やや暗い画像となっていることを表したものである。
【００３７】
ゲインの調整は、タイミング発生回路１３及びゲインコントロール回路１４により発生するタイミング信号によって行なわれる。図３（ｄ）は、図３（ｂ）の映像信号に対応して発せられるタイミング信号の例である。
【００３８】
例えば、タイミング信号における電圧が１Ｖのときをゲイン１００％、０Ｖのときをゲイン０％とする。２回続けて表示されるフレームのうちの先に表示されるフレームについては、ゲインを調整しないので、このときのゲインは１００％となり、したがって、このフレームに対応するタイミング信号の電圧は１Ｖとなる。
【００３９】
一方、２回続けて表示されるフレームのうちの後に表示されるフレームについて、所望するゲインに対応する電圧をタイミング信号に付与することにより、そのフレームの画像の明るさが変更されることになる。
【００４０】
ゲインの調整、即ちタイミング信号の電圧の調整は、０Ｖ（０％）から１Ｖ（１００％）の範囲で自由に調整することができる。第１の実施の形態においては、映像信号の種類に応じて予め適切と思われる値のゲインを設定しておき、入力された映像信号の種類に対応するゲインの設定を選択するものである。
【００４１】
図４は、予め設定されたゲインの値に従い、入力された映像信号のゲインの調整がされた様子を示す例である。
【００４２】
図４（ａ）は、まったくゲイン調整がされず、１００％のままの状態で表示するものである。表示される映像が静止画像である場合には、動画ボケの問題は生じないので、このようなゲインが望ましいことになる。
【００４３】
図４（ｂ）は、約７５％のゲインに調整した場合のものである。画面の明るい映像においては、あまりゲインを下げてしまうとフリッカが目立ち易くなるので、映像中の動きをあまり気にする必要がない場合には、あまりゲインを下げないものとすることができる。
【００４４】
図４（ｃ）は、約２５％のゲインに調整した場合のものである。また、図４（ｄ）はゲインを０％に下げた場合のものである。例えば、映画のような映像においては、元々の画面が比較的暗いため、フリッカが目立ちにくく、また、スポーツ中継のような映像においては動画ボケを最低限に抑える必要がある。そこで、これらの映像においては、このようなゲイン調整が望ましいことになる。
【００４５】
従って、ゲインコントロール回路１４においては、入力された映像信号の映像内容を解析し、その映像の変化の早さや、映像本来の明るさ等を解析し、その結果もっとも適当と思われるゲインを選択することになる。
【００４６】
なお、入力された映像信号の映像内容の解析は、ゲインコントロール回路１４でなく、別個に設けられた解析回路を用いて行うこともできる。
【００４７】
（第１の実施の形態における画像調整処理）
次に、本発明に係る液晶受像装置１の第１の実施の形態における、画像調整処理について、フローチャートを参照しつつ説明する。
【００４８】
図５は、液晶受像装置１が映像信号を受信し、画像のゲイン調整を行なう際の動作を示すフローチャートである。なお、図５のフローチャートにおいては、ゲイン調整に直接関係のない処理（画像の変換処理やフレーム倍速変換処理等）については説明を割愛することとする。
【００４９】
最初に、アンテナ２を介して映像信号の受信が行なわれる（ステップＳ１０１）。映像信号が受信されると、当該映像信号に係る映像の動きや明るさ等の情報の取得が行なわれる（ステップＳ１０２）。
【００５０】
次に、取得された映像情報に応じて、予め設定されていたいくつかのゲインの中から、最適なゲインの取得がなされる（ステップＳ１０３）。そして、取得されたゲインに応じて、タイミング信号のゲインの調整を行なう（ステップＳ１０４）。
【００５１】
次に、調整のなされたタイミング信号とフレームの倍速変換のなされた映像をと組み合わせて、各画像の調整が行なわれる（ステップＳ１０５）。そして得られた画像がＬＣＤパネル１６において表示されることになる（ステップＳ１０６）。
【００５２】
以上のような処理を行なうことにより、適正なゲインに自動調整された画像からなる映像を表示することができ、動画ボケやフリッカを気にすることなく映像コンテンツを鑑賞することができる。
【００５３】
（第２の実施の形態：液晶受像装置の構成）
本発明に係る液晶受像装置における第２の実施の形態は、ユーザの選択に応じて映像信号のゲインを調整するものである。
【００５４】
図６は、本発明に係る液晶受像装置１の第２の実施の形態における内部構成を示すブロック図である。
【００５５】
液晶受像装置１は、ＩＰ変換・Ｓｃａｌｅｒ回路１１と、フレーム倍速変換回路１２と、タイミング発生回路１３と、ゲインコントロール回路１４と、画像調整回路１５と、ＬＣＤパネル１６と、ＯＳＤ（On Screen Display）映像メニュー１７とを備える。また、液晶受像装置１には、アンテナ２が接続されている。
【００５６】
ＩＰ変換・Ｓｃａｌｅｒ回路１１、フレーム倍速変換回路１２、タイミング発生回路１３、ゲインコントロール回路１４、画像調整回路１５及びＬＣＤパネル１６は、上述した第１の実施の形態と同様のものである。
【００５７】
ＯＳＤ映像メニュー１７は、ＬＣＤパネル１６による画像表示について、ユーザが画面上の表示に基づいて設定を行なうためのメニューである。
【００５８】
（ＯＳＤ映像メニュー）
次に、ＯＳＤ映像メニューを用いたゲイン調整について説明する。
【００５９】
図７は、本発明に係る液晶受像装置１のＯＳＤ映像メニュー１７における、ゲイン調整メニューの表示例である。
【００６０】
液晶受像装置１には、表示される映像の色合いを調整する機能が搭載されており、ユーザは、画面上に表示されるＯＳＤ映像メニュー１７を介して、かかる色合いの調整を行なうことができる。
【００６１】
本発明にかかる液晶受像装置１は、ＯＳＤ映像メニュー１７による色合い調整の際に、併せてゲインの調整をも行なうことができる。
【００６２】
図７においては、選択肢として「標準」、「シネマ」、「ドラマ」、「スポーツ」、「静止画」の５つが表示されており、ユーザはこれを参照しつつリモコン等を用いて１つを選択する。
【００６３】
例えば、「シネマ」を選択した場合、映画の映像は比較的画面が暗いためフリッカは生じにくい。そこで、ゲインは低く調整される。
【００６４】
また、「ドラマ」を選択した場合、映像は映画に比べて明るいのでフリッカは生じやすいが、映像の動きはあまり激しくないので、ゲインは高めに調整される。
【００６５】
また、「スポーツ」が選択された場合には、スポーツ中継は映像の動きが激しいものが多いので、動画ボケを避けるためにゲインは低めに調整される。
【００６６】
また、「静止画」の場合には動画ボケは生じないので、ゲインは最大値に調整される。
【００６７】
（第２の実施の形態における画像調整処理）
次に、本発明に係る液晶受像装置１の第２の実施の形態における、画像調整処理について、フローチャートを参照しつつ説明する。
【００６８】
図８は、液晶受像装置１が映像信号を受信し、ユーザの選択に応じた画像のゲイン調整を行なう際の動作を示すフローチャートである。
【００６９】
最初に、アンテナ２を介して映像信号の受信が行なわれる（ステップＳ１１１）。映像信号が受信されると、続いてユーザによるゲインの選択があったか否かの判断を行なう（ステップＳ１１２）。
【００７０】
ユーザの選択がないと判断した場合には（Ｓ１１２：Ｎｏ）、ゲイン調整は行なわないものとしてそのまま後述するステップＳ１１６へ処理を移すが、ユーザの選択があったと判断した場合には（Ｓ１１２：Ｙｅｓ）、選択されたゲインの取得がなされる（ステップＳ１１３）。そして、取得されたゲインに応じて、タイミング信号のゲインの調整を行なう（ステップＳ１１４）。
【００７１】
次に、調整のなされたタイミング信号とフレームの倍速変換のなされた映像をと組み合わせて、各画像の調整が行なわれる（ステップＳ１１５）。そして得られた画像がＬＣＤパネル１６において表示されることになる（ステップＳ１１６）。
【００７２】
以上のような処理を行なうことにより、ユーザの選択に応じてゲインの調整された画像からなる映像を表示することができ、動画ボケやフリッカを気にすることなく映像コンテンツを鑑賞することができる。
【図面の簡単な説明】
【００７３】
【図１】本発明に係る液晶受像装置を含む映像受像システムの外観を示す図である。
【図２】本発明に係る液晶受像装置１の第１の実施の形態における内部構成を示すブロック図である。
【図３】（ａ）、（ｂ）は、受信した映像信号のフレーム数をフレーム倍速変換装置１２により２倍にする様子を示す図、（ｃ）、（ｄ）は、２倍になった各フレームの一方のゲインをコントロールする様子を示す図である。
【図４】（ａ）〜（ｄ）は、予め設定されたゲインの値に従い、入力された映像信号のゲインの調整がされた様子を示す例である。
【図５】液晶受像装置１が映像信号を受信し、画像のゲイン調整を行なう際の動作を示すフローチャートである。
【図６】本発明に係る液晶受像装置１の第２の実施の形態における内部構成を示すブロック図である。
【図７】本発明に係る液晶受像装置１のＯＳＤ映像メニュー１７における、ゲイン調整メニューの表示例である。
【図８】液晶受像装置１が映像信号を受信し、ユーザの選択に応じた画像のゲイン調整を行なう際の動作を示すフローチャートである。
【符号の説明】
【００７４】
１、液晶受像装置  ２、アンテナ  １１、ＩＰ変換・Ｓｃａｌｅｒ回路
１２、フレーム倍速変換回路  １３、タイミング発生回路
１４、ゲインコントロール回路  １５、画像調整回路  １６、ＬＣＤパネル
１７、ＯＳＤ映像メニュー
【図１】
2008003519.tif 000003
【図２】
2008003519.tif 000004
【図３】
2008003519.tif 000005
【図４】
2008003519.tif 000006
【図５】
2008003519.tif 000007
【図６】
2008003519.tif 000008
【図７】
2008003519.tif 000009
【図８】
2008003519.tif 000010